(57)【要約】【課題】充分な取付強度を確保し、簡便な取付作業を可能とするフロート取付具を提供すること。【解決手段】フロート取付具３００は、耐久フロート２００の胴回りに化繊ロープ２５０を巻回させてレール材４０１に耐久フロート２００を取り付けるためのフロート取付具であって、化繊ロープ２５０の一端を留める第１フック３０１と、化繊ロープ２５０の他端を留める第２フック３０２と、２つのフックを保持する保持体３０３と、を備え、第１フック３０１は、その直線部分にねじ切りが施された丸棒材３０４であって、丸棒材３０４を保持体３０３に設けられたスリーブ部３０５を介して貫装し、化繊ロープ２５０を所定の張力で張った状態で当該丸棒材３０４をナット３０６で固定することにより、耐久フロート２００をレール材４０１に取付可能に構成した。【選択図】　　　　図４
2004114723.tif 000002
【特許請求の範囲】
【請求項１】
耐久フロートの胴回りに紐体を巻回させて所定の枠体に当該フロートを取り付けるためのフロート取付具であって、
前記紐体の一端を留める第１の留め手段と、
前記紐体の他端を留める第２の留め手段と、
前記第１の留め手段と第２の留め手段を保持する保持体と、
を備え、
前記留め手段のうち、少なくとも一方は、先端がフック状に形成されつつ直線部分にはねじ切りが施された棒体であり、
当該棒体を前記保持体に設けられたスリーブ部を介して貫装し、前記紐体を所定の張力で張った状態で当該棒体をナットで固定することにより、前記耐久フロートを前記所定の枠体に取付可能に構成したことを特徴とするフロート取付具。
【請求項２】
フック状の前記先端部分に、張力方向に垂直な方向へ前記紐体が移動可能な移動しろを設けたことを特徴とする請求項１に記載のフロート取付具。
【請求項３】
前記留め手段のいずれも、先端がフック状に形成されつつ直線部分にねじ切りが施された棒体であり、
一方の棒体には、フック状の先端部に、張力方向に垂直な方向へ前記紐体が移動可能な移動しろを設け、
他方の棒体は、先端を山字状フックとして、張力方向に垂直な方向へ前記紐体が移動しない構成したことを特徴とする請求項１に記載のフロート取付具。
【請求項４】
前記保持体を、
枠材を把持するコ字状のチャンネル体と、
スリーブ部がその長手方向に穿孔された２つの角鋼材と、
により構成し、
当該チャンネル体と２つの角鋼材のそれぞれの平面部を枠材の伸延方向と２つの穿孔方向とがそれぞれ直交する位置関係で接合して当該保持体を形成したことを特徴とする請求項３に記載のフロート取付具。
【請求項５】
素材を亜鉛メッキ加工したことを特徴とする請求項１〜４のいずれか１つに記載のフロート取付具。
【請求項６】
請求項１〜５のいずれか一つに記載のフロート取付具を用いたことを特徴とする浮体構造物。
【請求項７】
枠体を構成する枠材と、円筒型の耐久フロートと、紐体と、請求項１〜５のいずれか一つに記載のフロート取付具とを含む浮体構造物であって、
枠材を耐久フロートの直径より狭い間隔で平行に配し、当該配された枠材の下部に耐久フロートをあてがい、フロート取付具を枠材に固定して紐体を当該耐久フロートの胴回りに巻回させた後、当該フロート取付具と紐体により所定の張力で耐久フロートを枠材に取り付けたことを特徴とする浮体構造物。
【請求項８】
前記耐久フロートの外周部材、および、枠体を構成する枠材であって耐久フロートに接触する枠材を、樹脂体により構成し、
前記紐体を化繊ロープとしたことを特徴とする請求項６または７に記載の浮体構造物。
【請求項９】
請求項６、７または８に記載の浮体構造物を用いたことを特徴とする桟橋。
【請求項１０】
請求項６、７または８に記載の浮体構造物を用いたことを特徴とするいかだ。
【発明の詳細な説明】
【０００１】
【発明の属する技術分野】
本発明は、フロート取付具、浮体構造物、桟橋およびいかだに関し、特に、耐久フロートの胴回りに紐体を巻回させ所定の枠体に当該フロートを取り付けるためのフロート取付具、当該取付具により耐久フロートが取り付けられた浮体構造物、桟橋およびいかだに関する。
【０００２】
【従来の技術】
従来、浮き桟橋、停留いかだ、養殖いかだといった浮体構造物を水面に浮かせるためのフロートが知られていた。フロートの形状としては、例えば、円筒型や直方体型のものが知られており、素材としては発泡スチロール材に薄手のビニールで被覆したものが知られていた。また、近年では、発泡スチロール材の外周（外皮）をポリエチレンの様な硬質プラスチックやＦＲＰ（繊維強化プラスチック）で被覆した耐久フロートも知られている。
【０００３】
従来では、これらのフロートを用いて浮体構造物を水面に浮かせ、上述したさまざまな用途で使用されていた。
【０００４】
【発明が解決しようとする課題】
しかしながら、従来の技術では以下の問題点があった。
まず、発泡スチロール材に薄手のビニールで被覆したフロートを用いる浮体構造物の場合は、フロートの剛性が低く、ロープがフロートにめり込み張力が相殺されるので、充分な取付強度を確保できないという問題点があった。また、充分にロープを締めてフロートを取り付けることができても、波によるロープの摩擦の影響もあり発泡スチロールが経時的に劣化してしまう。したがって、ロープの張りがなくなり、取付強度不足が生じるという問題点があった。また、ロープが締めつけられる箇所でビニールが次第に破れ、発泡スチロールが流出し浮力を失ってしまうという致命的な問題点もあった。また、発泡スチロールが流出すると、環境汚染の原因になるという問題点もあった。
【０００５】
次に、耐久フロートを用いた場合、上述した問題点は生じないが、取付には専門の作業員が必要であり、取付性が悪いという問題点があった。すなわち、耐久フロートの場合は、剛性が高いので所望の強さで締付（取付）可能であるが、この力加減や、張力を保ったままの留め（いわゆる「ころし」）には熟練が必要であり、作業者を選ぶという問題点があった。また、ロープを巻回して枠体に耐久フロートを直に取り付けるので、作業監督者や管理者が最終チェックを行う場合であっても、本当に設定強度で取り付けられているか把握しにくいという問題点もあった。
【０００６】
また、浮体構造物を海で使用する場合には、部材の寿命が短い場合があるという問題点があった。具体的には、海水に触れる部分が、素材によっては電解現象により次第に溶解してしまうという問題点があった。
【０００７】
また、枠体と耐久フロートが直に接触する場合には、硬度に差がありすぎると片方が破損または磨耗していくという問題点があった。
【０００８】
本発明は上記に鑑みてなされたものであって、充分な取付強度を確保し、簡便な取付作業を可能とするフロート取付具を提供することを目的とする。
【０００９】
また、品質管理が容易であって寿命の長い浮体構造物、桟橋およびいかだを提供することを目的とする。
【００１０】
【課題を解決するための手段】
上記の目的を達成するために、請求項１に記載のフロート取付具は、耐久フロートの胴回りに紐体を巻回させて所定の枠体に当該フロートを取り付けるためのフロート取付具であって、前記紐体の一端を留める第１の留め手段と、前記紐体の他端を留める第２の留め手段と、前記第１の留め手段と第２の留め手段を保持する保持体と、を備え、前記留め手段のうち、少なくとも一方は、先端がフック状に形成されつつその直線部分にはねじ切りが施された棒体であり、当該棒体を前記保持体に設けられたスリーブ部を介して貫装し、前記紐体を所定の張力で張った状態で当該棒体をナットで固定することにより、前記耐久フロートを前記所定の枠体に取付可能に構成したことを特徴とする。
【００１１】
すなわち、請求項１にかかる発明は、耐久フロートを二方向から締付可能となり、ねじ目盛りにより締付強度を一定に調整できる。また、スリーブ部を通して棒体を安定的に固定でき、一点で固定するときの様な応力集中が発生しない。ここで、紐体とは、ロープやベルトやチェーンを含み、フロートに巻回して締めつける部材を意味する。また、フック状に形成されるとは、掛止手段が構築されていることを意味する。なお、耐久フロートとは内部を発泡体とし、外側に硬質プラスチックやＦＲＰなどの硬質部材で構築されたウキをいう。なお、耐久フロートは内部が空洞であっても良いが、硬質部材の破損により浸水すると浮力を失うので、この様な場合でも浮力を維持できる発泡体（例えば発泡スチロール材）が内包されたものが好ましい。また、スリーブ部とは、細長い穴が通された部位をいう。なお、棒体はスリーブ部の前後でネジ止めすれば棒体の固定がより強固になると共に応力集中が生じない。以上の構成により、充分な取付強度を確保し、簡便な取付作業を可能とするフロート取付具を提供することができる。
【００１２】
また、請求項２に記載のフロート取付具は、請求項１に記載のフロート取付具において、フック状の前記先端部分に、張力方向に垂直な方向へ前記紐体が移動可能な移動しろを設けたことを特徴とする。
【００１３】
すなわち、請求項２にかかる発明は、紐が「あそび」により移動する。したがって、いわゆる「潮抜き」が可能となり、絶えず張力が変化する情況下でも、その影響を拡散させることができる。これにより、充分な取付強度を確保し、簡便な取付作業を可能とし、寿命の長いフロート取付具を提供することができる。なお、ここでいう張力方向とは、フック状の先端部を引っ張る方向を意味する。
【００１４】
また、請求項３に記載の耐久フロートは、請求項１に記載のフロート取付具において、前記留め手段のいずれも、先端がフック状に形成されつつ直線部分にねじ切りが施された棒体であり、一方の棒体には、フック状の先端部に、張力方向に垂直な方向へ前記紐体が移動可能な移動しろを設け、他方の棒体は、先端を山字状フックとして、張力方向に垂直な方向へ前記紐体が移動しない構成したことを特徴とする。
【００１５】
すなわち、請求項３にかかる発明は、耐久フロートの横移動を規制すると共に、鉛直方向への移動による張力変化には移動しろで受け流すことができる。これにより、充分な取付強度を確保し、簡便な取付作業を可能とする寿命の長いフロート取付具を提供することができる。
【００１６】
また、請求項４に記載のフロート取付具は、請求項３に記載のフロート取付具において、前記保持体を、枠材を把持するコ字状のチャンネル体と、スリーブ部がその長手方向に穿孔された２つの角鋼材と、により構成し、当該チャンネル体と２つの角鋼材のそれぞれの平面部を枠材の伸延方向と２つの穿孔方向とがそれぞれ直交する位置関係で接合して当該保持体を形成したことを特徴とする。
【００１７】
すなわち、請求項４にかかる発明は、各部材が広い面積により相互に強固に接合しあうため、ねじれ応力が生じにくい。これにより、充分な取付強度を確保し、簡便な取付作業を可能とし寿命の長いフロート取付具を提供することができる。
【００１８】
また、請求項５に記載のフロート取付具は、請求項１〜４のいずれか１つに記載のフロート取付具において、素材を亜鉛メッキ加工したことを特徴とする。
【００１９】
すなわち、請求項５にかかる発明は、海水に触れる環境であっても溶解しないフロート取付具を簡便に製作できる。これにより、充分な取付強度を確保し、簡便な取付作業を可能とし、寿命の長いフロート取付具を提供することができる。
【００２０】
また、請求項６に記載の浮体構造物は、請求項１〜５のいずれか一つに記載のフロート取付具を用いたことを特徴とする。これにより、充分な取付強度を確保し、品質管理が容易であって寿命の長い浮体構造物を提供することができる。
【００２１】
また、請求項７に記載の浮体構造物は、枠体を構成する枠材と、円筒型の耐久フロートと、紐体と、請求項１〜５のいずれか一つに記載のフロート取付具とを含む浮体構造物であって、枠材を耐久フロートの直径より狭い間隔で平行に配し、当該配された枠材の下部に耐久フロートをあてがい、フロート取付具を枠材に固定して紐体を当該耐久フロートの胴回りに巻回させた後、当該フロート取付具と紐体により所定の張力で耐久フロートを枠材に取り付けたことを特徴とする。
【００２２】
すなわち、請求項７にかかる発明は、充分な取付強度を確保し、品質管理が容易であって寿命の長い浮体構造物を提供することができる。ここで、円筒型は、楕円体型や紡錘型を含むものとする。すなわち、円筒型フロートとは、紐体で巻回する部分が円または楕円であるフロートを意味する。なお、下部とは、浮体構造物を浮かべたときに枠体より下の位置をいう。
【００２３】
また、請求項８に記載の浮体構造物は、請求項６または７に記載の浮体構造物において、前記耐久フロートの外周部材、および、枠体を構成する枠材であって耐久フロートに接触する枠材を、樹脂体により構成し、前記紐体を化繊ロープとしたことを特徴とする。
【００２４】
すなわち、請求項８にかかる発明は、腐食しにくくかつ当接部分の磨耗が少ない。これにより、充分な取付強度を確保し、品質管理が容易であって寿命の長い浮体構造物を提供することができる。
【００２５】
また、請求項９に記載の桟橋は、請求項６、７または８に記載の浮体構造物を用いたことを特徴とする。また、請求項１０に記載のいかだは請求項６、７または８に記載の浮体構造物を用いたことを特徴とする。これにより、充分な取付強度を確保し、品質管理が容易であって寿命の長い桟橋またはいかだを提供することができる。なお、桟橋とは、釣り桟橋や係留桟橋を含み、いかだとは養殖いかだや生け簀を含む。
【００２６】
【発明の実施の形態】
以下、本発明の実施の形態を図面を参照しながら詳細に説明する。
図１は、本発明を適用した浮体構造物の外観図である。浮体構造物１００は、浮体構造物１００を水上に浮かせる浮力部１０１と、水上施設の基礎となる枠体部１０２と、を主要構成要素とする。浮力部１０１は、円筒形の耐久フロート２００と、耐久フロート２００の胴回りに巻回させる化繊ロープ２５０と、化繊ロープ２５０により所定の張力をもって耐久フロート２００を枠体部１０２に取付けるフロート取付具３００と、を有する。また、枠体部１０２は、耐久フロート２００の円筒軸に平行かつ円筒直径より狭い間隔で配したレール材４０１と、レール材４０１上部にレール材４０１に垂直に配した大引梁４０２と、大引梁４０２上部に大引梁４０２に垂直に配した根太４０３および端部の防舷材４０４と、根太４０３上に設けた床板４０５と、を有する。
【００２７】
図２〜図８は、浮体構造物１００のうち、特に、フロート取付具３００を中心にその詳細構成を説明する説明図である。このうち、図２は、浮体構造物１００を耐久フロート２００の円筒軸方向からみた概観図であり、図３は、浮体構造物１００を耐久フロート２００の円筒軸に垂直な水平方向からみた概観図である。なお、以降においては、便宜的に、円筒軸方向を縦方向、円筒軸に垂直な水平方向を横方向、縦方向と横方向に共に垂直な方向を上下方向と称することとする。
【００２８】
耐久フロート２００は、内部と外皮の二層構造であり、内部は例えばポリスチレンなどの発泡体とし、外皮（スキン層）には例えば超高分子ポリエチレンや架橋高密度ポリエチレンなどの靭性を備えた硬質プラスチックを用いる。この様な二層構造とすることにより、外皮が破損したとしても浮力の低減を最小限に抑えると共に、内部の組成物の流出を防ぐことができる。また、素材を超高分子ポリエチレンや架橋高密度ポリエチレンとすることにより、敷設環境が海上であっても腐食せず、製品寿命を延ばすことが可能となる。
【００２９】
耐久フロート２００は、円周方向に複数の溝２０１を設け、化繊ロープ２５０の巻回および固定を容易化する構造としている。耐久フロート２００は、その浮力が、排水計算で１体３００ｋｇ〜４００ｋｇのものを用いる。枠体部１０２の重量と使用時の加重を加えて適宜浮体構造物１００を設計できる。なお、浮力３００ｋｇの耐久フロートであれば、例えば、直径６００ｍｍ×長さ１１５０ｍｍ程度の大きさのものを用いればよいし、４００ｋｇの耐久フロートであれば、例えば、直径７００ｍｍ×長さ１２５０ｍｍの大きさのものを用いればよい。この様な耐久フロートとして、耐久フロートＮＣ−Ｆ２７０Ｈや耐久フロートＮＣ−Ｆ４００Ｈ（いずれも日本コンテック株式会社製）を挙げることができる。
【００３０】
耐久フロート２００はレール材４０１にあてがわれて取り付けられる。耐久フロート２００とレール材４０１は波の影響により摺れあうため、力が拡散し、磨耗の少ない関係にあることが好ましい。具体的には、レール材４０１は、耐久フロート２００の外皮となじみの良いプラスチック素材が好ましく、特に、ポリオレフィンのなかでもストレスクラッキングに対する耐性が高いポリプロピレンを用いたものが好ましい。ポリプロピレンであれば使用環境が海上であっても木材の様に腐食せず、フロート寿命を延ばすことが可能となる。
【００３１】
ここで、レール材４０１を、ポリプロピレンを主成分とした発泡構造を含む様に形成すれば、加工が容易となり、軽量化の観点も含めて施工性が向上する。大きさとしては、１００ｍｍ×１５０ｍｍ×６５００ｍｍの角材を用いることができる。この様なフロート材として、例えば、エコマウッド（有限会社山陰クリエート製）を挙げることができる。なお、いうまでもないが、レール材４０１と同一の素材で、大引梁４０２、根太４０３、防舷材４０４、および、床板４０５を構成しても良い。
【００３２】
図４は、フロート取付具を縦方向からみた拡大図であり、図５は、フロート取付具を上からみた拡大図であり、図６は、フロート取付具を横方向からみた拡大図である。フロート取付具３００は、化繊ロープ２５０を略水平方向から留める第１フック３０１と下方向から留める第２フック３０２と、２つのフックを保持する保持体３０３とを備える。２つのフックは、いずれも、「かえし」が設けられていて他端側は直線に延伸した丸棒材３０４であり、丸棒材３０４の直線部分には、ねじ切りが施されている。丸棒材３０４は、保持体３０３に設けられたスリーブ部３０５を介して貫装されて、ナット３０６で保持体３０３に固定可能となっている。
【００３３】
フロート取付具３００は、丸棒材３０４を介して化繊ロープ２５０を締めあげ、所定の張力を持ったまま固定可能である。このとき、ねじ山数を管理することにより、耐久フロート２００がレール材４０１に設定張力で取り付けられているか否かを管理可能となる。したがって、作業監督者や管理者が最終チェックを行う場合であっても、本当に設定強度で取り付けられているかが容易に把握できる。なお、化繊ロープ２５０は、両端が輪２５１となっているいわゆる台付ロープとしている。また、化繊はさまざまなものを採用できるが、海水により腐食しない素材を用いるのが好ましい。
【００３４】
図４に示した様に第１フック３０１の先端部には、化繊ロープ２５０の移動しろ３０７が設けられている。したがって、耐久フロート２００が波の影響により上下する場合があっても、化繊ロープ２５０が移動しろ＋を移動することにより張力の変化を少なくする。したがって、移動しろ３０７により、いわゆる「潮抜き」が可能となる。また、フック３０２は、その先端が山字状フックに加工されている。したがって、化繊ロープ２５０が縦方向（円筒軸方向）に移動しないので、耐久フロート２００の横ズレを規制する。換言すれば、二つのフックにより耐久フロート２００の移動を抑制すると共に張力変化が拡散され、フロート取付具３００ひいては浮体構造物１００の安定性および耐久性が向上する。
【００３５】
保持体３０３は、レール材４０１を把持するコ字状のチャンネル３３１と、スリーブ部３０５が長手方向に穿孔された２つの角鋼材（角鋼材３３２および角鋼材３３３）と、により構成されている（図７参照）。図示した様に、チャンネル３３１と角鋼材３３２と角鋼材３３３とが、それぞれ９０度の位置関係で平面部を溶接して結合されている。したがって、ねじれ応力が生じにくく、重心がレール材４０１に近接した位置にくるので、フック側のナット３０６付近への応力集中を回避することができる。したがって、丸棒材３０４の金属疲労が生じず、耐久性が向上する。また、重心が低いので移動しろ３０７の機能が十全に発揮されることとなる。なお、平面を接合させているので、強い力がかかる場合であっても、充分な耐久性を備えることが可能となる。このほか、角鋼材やチャンネルといった汎用品を用いるので安価なフロート取付具３００を提供可能となる。
【００３６】
フロート取付具３００の素材としては、一般構造用鋼材ＳＳ４００（旧ＳＳ４１）を亜鉛メッキしたものを用いることができる。亜鉛メッキは例えば膜厚５５０μｍのドブ付けによって行ってもよい。この様にすることで、鋼材が電解現象により溶出せず海上でも充分使用できる耐久性の高いフロート取付具を使用することができる。
【００３７】
なお、以上の説明は、二つのフックが共に丸棒材の先端に形成された構成としているが、第２フック３０２は、保持体３０３に出っぱりを設けここに化繊ロープ２５０の輪２５１をかけることにより丸棒材のない構成としても良い。
【００３８】
以上説明したフロート取付具３００を用いれば、充分な取付強度を確保し、簡便な取付作業を可能とする寿命の長いフロート取付具を提供することができる。なお、耐久フロートの形状は必ずしも円筒型でなくても良いが、円筒型であれば、直方型のフロートに比べて、波の影響を受け流すことができ（潮抜きができ）、浮体構造物１００の耐久性（寿命）も向上させることが可能となる。
【００３９】
本願発明者は、このフロート取付具３００を用いることによりフロート取付実験を行った。従来では１個の耐久フロートを取り付けるのに専門の作業員が２人がかりで１時間かかっていたが、フロート取付具３００によればロープの締めつけ知識を持たない作業員であっても２人で１０分程度で取り付けることができ、取付時間も大幅に短縮できることが確認できた。
【００４０】
また、浮体構造物１００の全体形状、大きさ、または、種類などは特に限定されるものではなく、組み合わせるレール材４０１の長短によってその形状や大きさを任意に変えることができ、レール材４０１を複数連結して長尺物として大型の施設を形成することも可能である。例えば、レール材４０１は、本実施の形態では６５００ｍｍの部材を用いているが繋ぎ合わせにより長尺物が構築できる。図８は、レール材４０１を繋ぎ合わせた場合の断面図である。図示した様に、繋ぎ合わせの部分にはレール材４０１に沿って、ジョイントピース４０６をあてがい、チャンネル３３１’でかかえこむ構成としている。なお、ジョイントピース４０６はレール材４０１より背を低くした角材であって、チャンネル３３１’との間にクリアランスを設けている。クリアランスを設けることにより、場所によって大引梁４０２から突設したボルトの影響を避けることができる。この様に構成し、任意の長さの浮体構造物１００を構築することができる。
【００４１】
なお、浮体構造物１００は、海上、湖上、川上、池上の全ての水面上に浮かせて配するものに適用できる。例えば、魚介類用の養殖生け簀Ａ（図９参照）および養殖生け簀Ｂ（図１０参照）、真珠あるいは牡蠣などの養殖いかだＣ（図１１参照）、釣りいかだＤ（図１２参照）あるいは浮き桟橋Ｅ（図１３参照）などを挙げることができる。
【００４２】
【発明の効果】
以上説明した様に、本発明によれば、充分な取付強度を確保し、簡便な取付作業を可能とするフロート取付具を提供することができる。また、品質管理が容易であって寿命の長い浮体構造物、桟橋およびいかだを提供することができる。
【図面の簡単な説明】
【図１】本発明を適用した浮体構造物の外観図である。
【図２】浮体構造物を耐久フロートの円筒軸方向からみた概観図である。
【図３】浮体構造物を耐久フロートの円筒軸に垂直な水平方向からみた概観図である。
【図４】本発明のフロート取付具を縦方向からみた拡大図である。
【図５】本発明のフロート取付具を上からみた拡大図である。
【図６】本発明のフロート取付具を横方向からみた拡大図である。
【図７】本発明のフロート取付具のうち保持体の詳細構成図である。
【図８】レール材を繋ぎ合わせた断面図である。
【図９】本発明の浮体構造物を適用した魚介類用の養殖生け簀の概観構成図である。
【図１０】本発明の浮体構造物を適用した養殖生け簀の概観構成図である。
【図１１】本発明の浮体構造物を適用した真珠あるいは牡蠣などの養殖いかだの概観構成図である。
【図１２】本発明の浮体構造物を適用した釣りいかだの概観構成図である。
【図１３】本発明の浮体構造物を適用した浮き桟橋の概観構成図である。
【符号の説明】
１００　浮体構造物
２００　耐久フロート
２５０　化繊ロープ
３００　フロート取付具
３０１　第１フック
３０２　第２フック
３０３　保持体
３０４　丸棒材
３０５　スリーブ部
３０６　ナット
３３１　チャンネル
３３２，３３３　角鋼材
４０１　レール材
４０２　大引梁
４０３　根太
４０４　防舷材
【図１】
2004114723.tif 000003
【図２】
2004114723.tif 000004
【図３】
2004114723.tif 000005
【図４】
2004114723.tif 000006
【図５】
2004114723.tif 000007
【図６】
2004114723.tif 000008
【図７】
2004114723.tif 000009
【図８】
2004114723.tif 000010
【図９】
2004114723.tif 000011
【図１０】
2004114723.tif 000012
【図１１】
2004114723.tif 000013
【図１２】
2004114723.tif 000014
【図１３】
2004114723.tif 000015